(57)【要約】      （修正有）【課題】製作コストが安く維持管理に手間のかからないライン状に照射領域を形成できる視線誘導灯を提供する。【解決手段】内面に波形の凹曲レンズ溝を形成し、外面７を平滑に形成したレンズ４をＬＥＤ３・・・の前方に配置し、ＬＥＤ３・・・を光源として発生した光をスネルの法則に基づく光の屈折により路面にライン状に拡散した照射領域ａを形成する。このように、１個の視線誘導灯１でライン状の照射領域ａを路肩に形成することで、特に積雪時の視線誘導効果を高めることができる。また、１個の視線誘導灯１により視線誘導ラインを形成するため、コストが安く、維持管理に手間がかからない。【選択図】図１
2012127108.tif 000002
【特許請求の範囲】
【請求項１】
内面に波形の屈折面を形成し、外面を平滑に形成したレンズを光源の前方に配置することにより、路肩にスネルの法則に基づく光の屈折でライン状に拡散した照射領域を形成する視線誘導灯。
【請求項２】
前記光源に単数又は複数のＬＥＤが用いられていることを特徴とする請求項１に記載の視線誘導灯。
【請求項３】
前記視線誘導灯は、路肩又はセンターライン又は路面標識をライン状の照射領域により照明するために用いられることを特徴とする請求項１又は２に記載の視線誘導灯。
【発明の詳細な説明】
【技術分野】
【０００１】
本発明は、特に積雪のある路肩を効果的に照明してライン状の照射領域を形成する視線誘導灯に関する。
【背景技術】
【０００２】
道路に積雪があると、特に夜間走行時においては路肩の位置が判別できなくなることから、この障害を防止するために道路の路肩上には誘導灯が設置されている例が多い。
【０００３】
例えば、特開２０１０−１７４５３０号公報に掲載の視線誘導灯はこの例であって、高輝度ＬＥＤを光源とする誘導灯を路肩に立設したポールに対して下向きに取り付けて路肩を照明する例である。
【０００４】
しかし、この公知例の場合、その照射領域は路肩において円形又はこれに近い輪郭形状となることから、特に積雪がある場合に光が積雪面に反射して視認効果が弱まることがある。
【０００５】
また、特開２００１−４０６２５号公報には、路面をライン光となるように照明するために、複数個の発光部を角度を変えて併設することによりライン標示を可能とした路面標示装置が紹介されている。
【先行技術文献】
【特許文献】
【０００６】
【特許文献１】特開２０１０−１７４５３０号公報
【特許文献２】特開２００１−４０６２５号公報
【発明の概要】
【発明が解決しようとする課題】
【０００７】
しかし、上記特開２００１−４０６２５号公報に開示された路面標示装置の場合、複数個の発光部を使用するためにコストがかかるばかりでなく、いちいち発光部の角度を設置場所の地形に合わせて調整する必要があり、設置作業に手間がかかる。
【０００８】
また、特に積雪の多い地方においては所謂地吹雪のような強風が吹き荒れることが多いため、発光部の取付角度が風圧により狂ってしまい、ラインが途中で切れたり方向が出なくなるために定期的に調整点検を行って維持管理する必要がある。
【０００９】
本発明の目的は、製作コストが安く、維持管理に手間を必要とせず、視線誘導効果の高い視線誘導灯を提供することである。
【課題を解決するための手段】
【００１０】
上記目的を達成する本発明の構成は次のとおりである。
【００１１】
先ず、請求項１に記載の発明は、視線誘導灯において、内面に波形の屈折面を形成し、外面を平滑に形成したレンズを光源の前方に配置することにより、路肩にスネルの法則に基づく光の屈折でライン状に拡散した照射領域を形成することができるように構成して成るものである。
【００１２】
また、請求項２に記載の視線誘導灯は、請求項１に記載の発明において、前記光源に単数又は複数のＬＥＤが用いられていることを特徴とするものである。
【００１３】
また、請求項３に記載の視線誘導灯は、請求項１又は２に記載の発明において、前記視線誘導灯は、路肩又はセンターライン又は路面標識をライン状の照射領域により照明するために用いられることを特徴とするものである。
【発明の効果】
【００１４】
この発明によると、光源から出光された光は、レンズの波形の屈折面の作用により波形の谷の直線方向に対して直交する方向に出光拡散し、路面にベルト状の照射領域を形成することができる。
【００１５】
また、誘導灯は、１個でライン状の照射領域を形成できることから、設置コストを安く抑えることができる。
【００１６】
また、公知例のように複数の誘導灯の取付角度を調整してライン標示する前記公知例のように、強風等で狂った角度を調整すると云った維持管理の手間がかからない。
【図面の簡単な説明】
【００１７】
【図１】本発明に係る視線誘導灯の断面図。
【図２】本発明に係る視線誘導灯の正面図。
【図３】レンズの説明図。
【図４】視線誘導灯を道路に設置した状態の説明図。
【図５】レンズにおける屈折作用の説明図。
【図６】（Ａ）は波形の屈曲面によりライン状に屈折して拡散して形成された照射領域の説明図、（Ｂ）は幅方向に形成される照射領域の説明図。
【発明を実施するための形態】
【００１８】
本発明の実施例を図１〜図６に基づいて詳細に説明する。
【００１９】
図１は本発明に係る視線誘導灯の内部構造が解る断面図、図２は視線誘導灯の正面図、図３はレンズの形状が解る斜視図、図４は本発明に係る視線誘導灯を道路において路肩に設置した状態の説明図、図５はレンズの屈折作用の説明図、図６（Ａ）（Ｂ）はスネルの法則の説明図である。
【００２０】
各図において、符号の１は視線誘導灯であって、この視線誘導灯１は、内部に高輝度の発光ダイオード（以下「ＬＥＤ」という。）３・・・をケース２内に複数個（実施例では８個）下向きに内蔵し、このＬＥＤ３・・・の正面に平板状のレンズ４を取り付けた構成である。なお、ＬＥＤ３・・・の数及び配列に限定的な条件は無く、設置する場所及び目的等により任意に設計することができる。
【００２１】
レンズ４は、ＬＥＤ３・・・からの光をスネルの法則に基づきライン状に拡散して路面に照射領域を形成することができるように、内面４ａ（ＬＥＤ３・・・側）の表面に図１、３に示すように凹曲レンズ溝６を平行に同一ピッチで形成した波形の屈折面５が形成され、外面７は平滑面から成り、本実施例では透明なアクリル樹脂製であるが、ガラス製を用いることもできる。
【００２２】
８は前記ケース２の上方に形成された切妻形の雪屋根であって、雪はこの切妻形の傾斜屋根の作用で積らずに落下して雪害を防ぐことができる。
【００２３】
９は取付金具であって、この取付金具９により図４に示すようにポール１０に視線誘導灯１を下向きに取り付けることができる。
【００２４】
図４において１１はＡＣ電源、１２は太陽電池、１３は矢羽根、１４は路面、１５は路肩、１６は路肩表示ライン、１７は積雪を示す。
【００２５】
次に、レンズ４の光学的な作用を図５、図６に基づいて説明する。
【００２６】
図５、図６において、ａはレンズ４でライン状に形成された照射領域であって、この照射領域ａは、レンズ４へ入射された光が、図５及び図６（Ａ）に示すように凹曲レンズ溝６で屈折し、外面７から出射するときのスネルの法則により長さ（Ｌ）方向の領域を形成する。
【００２７】
一方、凹曲レンズ溝６の溝方向に対して平行する入射光は、図５、図６（Ｂ）に示すように大きく屈折することなく下方へ出射して照射領域ａにおいて幅（Ｗ）方向の領域を形成する。
【００２８】
このように波状に形成された凹曲レンズ溝６方向に対して直角に交わる入射光は、図６（Ａ）の断面図で示すよう、一つの凹曲レンズ溝６に入射する光の入射角が一様ではないため、広範囲な屈折角を作り出す。一方で、凹曲レンズ溝６の方向に対して平行する入射光は、図６（Ｂ）の断面図で示すよう、大きく屈折することなく下方へ出射される。
【００２９】
線状に発せられる光の大きさは、凹曲レンズ溝６の湾曲の大きさを変えることで光の長さを任意に変えることが出来、また、凹曲レンズ溝６の方向に複数個の光源（ＬＥＤ３・・・）を配置することで、光の幅も任意に変えることが出来る。さらに、光源（ＬＥＤ３・・・）と入射面の距離を変え、凹曲レンズ溝６に入射する入射角を変化させることで、短距離の場合は細く短い線状で発し、長距離の場合は太く長い照射が得られる。
【００３０】
以上に説明した視線誘導灯１は、積雪の多い地方の道路において、その路肩１５をライン状に照明するのに最も有効であるが、このライン状に照明することにより有効な対象としては、センターラインとか路面に描いた交通標識等をライン状に照明する場合にも有効である。
【符号の説明】
【００３１】
１  視線誘導灯
２  ケース
３  ＬＥＤ
４  レンズ
５  波形レンズ面
６  凹曲レンズ溝
７  外面
８  雪屋根
９  取付金具
１０  ポール
１１  ＡＣ電源
１２  太陽電池
１３  矢羽根
１４  路面
１５  路肩
１６  路肩表示ライン
１７  積雪
ａ  照射領域
【図１】
2012127108.tif 000003
【図２】
2012127108.tif 000004
【図３】
2012127108.tif 000005
【図４】
2012127108.tif 000006
【図５】
2012127108.tif 000007
【図６】
2012127108.tif 000008